(57)【要約】【課題】チューブ容器の内容物の塗付量を適切に調節でき、体温による影響を受けない外用剤用外装容器を提供することを目的とする。【解決手段】外用剤用外装容器1は、チューブ容器61を内装する胴体部3、チューブ容器61に取付けるノズル部5及び蓋部を備える。胴体部3は、一対の半割体9aからなり、開口部19、支持部、押圧部23及び底部25を備える。押圧部23は、チューブ容器61との対向面が底部25から開口部29に向かって、胴部67に略倣うように形成される。押圧部23は、開口部19側端より底部25側端のほうが厚みを有する。これにより、胴部67の表面に適切に接触することが可能となり、チューブ容器61の端部から内容物を絞り出し、内容物の残留を防ぐことが可能となる。外用剤用外装容器1がチューブ容器61を覆うことにより、チューブ容器61が外部に露出されず、直接押圧する必要がないので、体温による空気の膨張が起きず、内容物の不用意な吐出を防止することが可能となる。【選択図】図２
2017149428.tif 000002
【特許請求の範囲】
【請求項１】
円筒状の口部と、該口部に連なる円錐状の肩部と、該肩部に連なる胴部とを備え、該胴部が前記肩部から遠ざかるに従い断面形状が円状から長円状に変化し、端部が平坦に閉じられる態様で外用剤が充填された、チューブ容器を覆う外用剤用外装容器において、
前記チューブ容器の、前記肩部と前記胴部との接続部に対して当接する段部が形成された、前記口部が挿通される開口部と、前記胴部を押圧する押圧部と、前記開口部に対向する底部とを設けた胴体部と、
前記チューブ容器の前記口部に着脱可能であり、円錐筒状のノズル部と、
前記ノズル部に着脱可能な有底円筒状ないし円錐筒状の蓋部と、を備えることを特徴とする外用剤用外装容器。
【請求項２】
前記胴体部は、一対の半割体からなることを特徴とする請求項１に記載の外用剤用外装容器。
【請求項３】
前記ノズル部は、長手方向一端側の外周面から外径方向に延びるフランジ部を設けることを特徴とする請求項１又は２に記載の外用剤用外装容器。
【請求項４】
前記チューブ容器の前記肩部と前記ノズル部の前記フランジ部とで、前記開口部の前記段部を挟持し前記チューブ容器を固定する保持機構が構成されることを特徴とする請求項１乃至３のいずれか１項に記載の外用剤用外装容器。
【請求項５】
前記胴体部は、前記チューブ容器の前記胴部の、前記肩部の近傍部位に当接し、前記チューブ容器を支持する支持部を備えたことを特徴とする請求項１乃至４のいずれか１項に記載の外用剤用外装容器。
【請求項６】
前記胴体部は、前記チューブ容器の前記胴部の、前記平坦に閉じられた端部に当接し、前記チューブ容器を支持する支持部を備えることを特徴とする請求項１乃至５のいずれか１項に記載の外用剤用外装容器。
【請求項７】
前記押圧部の内面には、格子状の突起が形成されていることを特徴とする請求項１乃至６のいずれか１項に記載の外用剤用外装容器。
【請求項８】
前記押圧部の前記チューブ容器との対向面は、前記胴体部の前記底部から前記開口部に向かって、前記チューブ容器に略倣って傾斜し、
更に、前記押圧部は、前記胴体部の開口部側端よりも底部側端のほうが厚みを有することを特徴とする請求項１乃至７のいずれか１項に記載の外用剤用外装容器。
【請求項９】
前記押圧部と前記底部との外面側は、湾曲面状に連なり、
前記押圧部と前記底部との内面側は、前記チューブ容器と隙間を空けて平面状に連なっていることを特徴とする請求項１乃至８のいずれか１項に記載の外用剤用外装容器。
【請求項１０】
前記押圧部の前記チューブ容器との対向面は、前記胴体部の前記底部から前記開口部に向かって、前記チューブ容器に略倣って傾斜し、
前記押圧部の外面側の、底部側端部に、前記胴体部の幅方向に延びる溝部を備え、
前記押圧部と前記底部との内面側は、前記チューブ容器と隙間を空けて平面状に連なっていることを特徴とする請求項１乃至７のいずれか１項に記載の外用剤用外装容器。
【請求項１１】
前記胴体部の、前記開口部の前記段部とは反対側の縁に沿って、前記底部とは反対側へと突出するリブが形成されていることを特徴とする請求項１乃至７のいずれか１項に記載の外用剤用外装容器。
【請求項１２】
前記ノズル部は、フランジ部の反対側の他端に、前記チューブ容器内の外用剤を吐出する吐出部と、
前記フランジ部と前記吐出部との間に設けられ、前記フランジ部から前記吐出部に向かって外周面に沿って周方向対称に傾斜する案内面を有する山形状の案内部と、
前記フランジ部と前記案内部との間に設けられ、外周面から外径方向に環状に突出し、前記蓋部の嵌合溝と嵌合する嵌合部と、を備えることを特徴とする請求項３乃至１１のいずれか１項に記載の外用剤用外装容器。
【請求項１３】
前記蓋部は、前記ノズル部を挿入する開口を設け、
更に、前記蓋部の内周面には、底部側から前記開口側に延び、前記ノズル部の案内部に当接する案内突起と、
前記底部側から前記開口側に延び、前記ノズルの吐出部を案内する複数の位置決めリブと、
前記案内突起の下方近傍に設けられ、前記ノズル部の嵌合部と嵌合する嵌合溝と、を備えることを特徴とする請求項１乃至１２のいずれか１項に記載の外用剤用外装容器。
【請求項１４】
前記チューブ容器の前記外用剤は、揮発性成分を５０〜９５質量％を含むことを特徴とする請求項１乃至１３項のいずれか１項に記載の外用剤用外装容器。
【請求項１５】
前記チューブ容器の前記外用剤は、サリチル酸又はサリチル酸誘導体５質量％〜５０質量％を含むことを特徴とする請求項１乃至１４項のいずれか１項に記載の外用剤用外装容器。
【発明の詳細な説明】
【技術分野】
【０００１】
本発明は、チューブ容器内の外用剤を絞り出す外用剤用外装容器に関する。
【背景技術】
【０００２】
例えば、魚の目、タコ、イボ等の皮膚疾患の部位を治療するための従来の方法として、液状の内容物（外用剤）を、棒状の器具等を用いて皮膚疾患の部位に塗布するものが一般的であった。しかし、この塗布方法では、皮膚疾患の部位に対して十分な量を塗付するために何度も塗り重ねる必要があり、塗布作業に時間がかかっていた。
【０００３】
そこで、近年、内容物が充填されたチューブ容器にノズルを装着し、チューブ容器を押圧することで、チューブ容器内から内容物を絞り出し、ノズルを介して皮膚疾患の部位に塗布することで、治療の手間を軽減するものが用いられるようになっている（例えば、特許文献１）。
【先行技術文献】
【特許文献】
【０００４】
【特許文献１】特開平０８−５８８１４号公報
【発明の概要】
【発明が解決しようとする課題】
【０００５】
しかしながら、特許文献１に記載された塗布方法では、チューブ容器を指で直接押圧する必要があるため、塗布量を調節しにくいという問題があった。また、指でチューブ容器を押圧したときに体温によって、チューブ容器内の内容物が揮発し、チューブ容器内に揮発した空気が溜まり、この空気が膨張することで、蓋を開けた際に内容物が吐出する、及び、内容物が垂れるという問題があった。更に、チューブ容器の製造時、チューブ容器内に空気が少なからず混入しているため、体温によってチューブ容器内の空気が膨張し、蓋を開けた際に内容物が吐出したり、内容物が垂れるといったような使い勝手に難が生じることがあった。
【０００６】
本発明は、上記の点に鑑みてなされたものであり、チューブ容器の内容物の塗付量を適切に調節でき、体温による影響を受けない外用剤用外装容器を提供することを目的とする。
【課題を解決するための手段】
【０００７】
（発明の態様）
以下の発明の態様は、本発明の態様を例示するものであり、本発明の多様な構成要素の理解を容易にするために、項分けして説明するものである。以下の各項は、本発明の技術的範囲を限定するものではなく、本発明を実施する最良の形態を参酌しつつ、各項の構成要素の一部を置換し、削除し、または、さらに他の構成要素を付加した態様についても、本発明の一態様になり得るものである。
【０００８】
（１）円筒状の口部と、該口部に連なる円錐状の肩部と、該肩部に連なる胴部とを備え、該胴部が前記肩部から遠ざかるに従い断面形状が円状から長円状に変化し、端部が平坦に閉じられる態様で外用剤が充填された、チューブ容器を覆う外用剤用外装容器において、
前記チューブ容器の、前記肩部と前記胴部との接続部に対して当接する段部が形成された、前記口部が挿通される開口部と、前記胴部を押圧する押圧部と、前記開口部に対向する底部とを設けた胴体部と、
前記チューブ容器の前記口部に着脱可能であり、円錐筒状のノズル部と、
前記ノズル部に着脱可能な有底円筒状ないし円錐筒状の蓋部と、を備える外用剤用外装容器（請求項１）。
【０００９】
本項に係る外用剤用外装容器は、円筒状の口部と、口部に連なる円錐状の肩部と、肩部に連なる胴部とを備え、胴部が肩部から遠ざかるに従い断面形状が円状から長円状に変化し、端部が平坦に閉じられる態様で内容部（外用剤）が充填された、チューブ容器を覆っている。これにより、チューブ容器が外部に露出されず、直接押圧する必要がないので、体温による空気の膨張が起きず、これによる外用剤の不用意な吐出を防止するものとなる。また、チューブ容器の変形を防ぐものとなる。
また、外用剤用外装容器は、胴体部と、円錐筒状のノズル部と、蓋部とを含んで構成されている。胴体部は、チューブ容器の肩部に当接する段部を形成することにより、チューブ容器の位置を合わせやすく、適切な位置にチューブ容器が嵌るものとなる。また、胴体部は、チューブ容器の胴部を押圧する押圧部を備えることにより、外用剤を適切に絞り出し、塗布量を任意に調整するものとなる。
【００１０】
（２）上記（１）項において、前記胴体部は、一対の半割体からなる外用剤用外装容器（請求項２）。
【００１１】
本項に係る外用剤用外装容器の胴体部は、一対の半割体にすることにより、一方の半割体にチューブ容器を容易に装着するものとなり、一対の半割体を合わせることにより容易に組立てられ、チューブ容器を内装するものとなる。
【００１２】
（３）上記（１）又は（２）項において、前記ノズル部は、長手方向一端側の外周面から外径方向に延びるフランジ部を設ける外用剤用外装容器（請求項３）。
【００１３】
本項に係る外用剤用外装容器のノズル部は、ノズル部の長手方向一端側の外周面から外径方向に延びるフランジ部を設けることにより、フランジ部が胴体部の上端に接触し、ノズル部が胴体部の開口部から底部に向かって落下するのを防ぐものとなる。
【００１４】
（４）上記（１）乃至（３）のいずれか１項において、前記チューブ容器の前記肩部と前記ノズル部の前記フランジ部とで、前記開口部の前記段部を挟持し前記チューブ容器を固定する保持機構が構成される外用剤用外装容器（請求項４）。
【００１５】
外用剤用外装容器は、ノズル部の長手方向一端側の外周面から外径方向に延びるフランジ部と、チューブ容器の肩部とが協働して、胴体部の開口部の段部を挟持することにより、胴体部（一対の半割体）を保持するものとなる。通常、チューブ容器は、チューブ容器の下部を折り曲げて成型するため、製造上の折り曲げ精度により０．１〜２ｍｍ程度、長さが異なるため、フランジ部側でチューブ容器を固定することで、保持するものとなる。また、組合わさった一対の半割体の分解を防ぐものとなる。
【００１６】
（５）上記（１）乃至（４）のいずれか１項において、前記胴体部は、前記チューブ容器の前記胴部の、前記肩部の近傍部位に当接し、前記チューブ容器を支持する支持部を備えた外用剤用外装容器（請求項５）。
【００１７】
本項に係る外用剤用外装容器は、胴体部の開口部側に、内周面から内径方向に延びる複数の支持部を設けることにより、チューブ容器の肩部近傍の部位に当接し、チューブ容器を適切に支持するものとなる。
【００１８】
（６）上記（１）乃至（５）のいずれか１項において、前記胴体部は、前記チューブ容器の前記胴部の、前記平坦に閉じられた端部に当接し、前記チューブ容器を支持する支持部を備えることを特徴とする外用剤用外装容器（請求項６）。
【００１９】
本項に係る外用剤用外装容器は、チューブ容器の胴部の、平坦に閉じられた端部に当接するように、胴体部（一対の半割体）の内面から突出する支持部を設けることにより、チューブ容器を適切に支持するものとなる。
【００２０】
（７）上記（１）乃至（６）のいずれか１項において、前記押圧部の内面には、格子状の突起が形成されている外用剤用外装容器（請求項７）。
【００２１】
本項に係る外用剤用外装容器は、押圧部の内面が格子状の突起を形成することにより、外用剤用外装容器が射出成形品である場合の成形条件を整え、かつ、格子状の突起によって、チューブ容器の胴体部を押圧し、外用剤を絞り出せるものとなる。
【００２２】
（８）上記（１）乃至（７）のいずれか１項において、前記押圧部の前記チューブ容器との対向面は、前記胴体部の前記底部から前記開口部に向かって、前記チューブ容器に略倣って傾斜し、
更に、前記押圧部は、前記胴体部の開口部側端よりも底部側端のほうが厚みを有する外用剤用外装容器（請求項８）。
【００２３】
本項に係る外用剤用外装容器は、チューブ容器の胴部と対向する押圧部の対向面（内面）が胴体部の底部から開口部に向かって胴部の外形に略倣って傾斜するように形成されることにより、チューブ容器の胴部の表面に適切に接触するものとなる。また、押圧部は、開口部側端よりも底部側端のほうが厚みを有するように形成することにより、押圧部がチューブ容器の端部から順に肩部へ向けて接触するため、チューブ容器の端部から外用剤を絞り出し、外用剤の残留を防ぐものとなる。
【００２４】
（９）上記（１）乃至（８）のいずれか１項において、前記押圧部と前記底部との外面側は、湾曲面状に連なり、
前記押圧部と前記底部との内面側は、前記チューブ容器と隙間を空けて平面状に連なっている外用剤用外装容器（請求項９）。
【００２５】
本項に係る外用剤用外装容器は、押圧部と底部との外面側が湾曲面状に連なり、押圧部と底部との内面側がチューブ容器と隙間を空けて平面状に連なっていることにより、押圧部が押圧されていない状態では、チューブ容器の端部が押圧部に固定されず、種々のチューブ容器の大きさに対応するものとなる。
【００２６】
（１０）上記（１）乃至（７）のいずれか１項において、前記押圧部の前記チューブ容器との対向面は、前記胴体部の前記底部から前記開口部に向かって、前記チューブ容器に略倣って傾斜し、
前記押圧部の外面側の、底部側端部に、前記胴体部の幅方向に延びる溝部を備え、
前記押圧部と前記底部との内面側は、前記チューブ容器と隙間を空けて平面状に連なっている外用剤用外装容器（請求項１０）。
【００２７】
本項に係る外用剤用外装容器は、チューブ容器の胴部と対向する押圧部の対向面（内面）が胴体部の底部から開口部に向かって胴部の外形に略倣って傾斜するように形成されることにより、チューブ容器の胴部の表面に適切に接触するものとなる。また、押圧部は、この外面側の底部側端部に、胴体部の幅方向に延びる溝部を備えることで、押圧部の基端側の近傍の外面、すなわち、押圧部と底部とが連なる側の近傍の剛性を意図的に低下させる。そして、溝部において、弾性変形を促すことで、押圧部の外面を軽く押圧しても、押圧部を確実に撓ませるものとなり、外用剤を適切に絞り出すものとなる。更に、押圧部と底部との内面側がチューブ容器と隙間を空けて平面状に連なっていることにより、押圧部が押圧されていない状態では、チューブ容器の端部が押圧部に拘束されず、種々のチューブ容器の大きさに対応するものとなる。
【００２８】
（１１）上記（１）乃至（７）のいずれか１項において、前記胴体部の、前記開口部の前記段部とは反対側の縁に沿って、前記底部とは反対側へと突出するリブが形成されている外用剤用外装容器（請求項１１）。
【００２９】
本項に係る外用剤用外装容器は、胴体部の、開口部の段部とは反対側の縁に沿って、底部とは反対側へと突出するリブを形成することにより、落下による衝撃又は振動等の外的要因によって、胴体部（一対の半割体）に分解されるような力が加わるときでも、リブがノズルの内面に当接し、胴体部の分解を防ぐストッパーとして機能するものとなる。
【００３０】
（１２）上記（３）乃至（１１）のいずれか１項において、前記ノズル部は、前記フランジ部の反対側の他端に、前記チューブ容器内の外用剤を吐出する吐出部と、
前記フランジ部と前記吐出部との間に設けられ、前記フランジ部から前記吐出部に向かって外周面に沿って周方向対称に傾斜する案内面を有する山形状の案内部と、
前記フランジ部と前記案内部との間に設けられ、外周面から外径方向に環状に突出し、前記蓋部の嵌合溝と嵌合する嵌合部と、を備える外用剤用外装容器（請求項１２）。
【００３１】
本項に係る外用剤用外装容器は、ノズル部のフランジ部の反対側の他端に、チューブ容器内の外用剤を吐出する吐出部を設けることにより、外用剤を適切な場所に容易に塗布するものとなる。また、ノズル部は、フランジ部と突出部との間に、フランジ部から吐出部に向かって外周面に沿って周方向対称に傾斜する案内面を有する山形状の案内部を設けることにより、蓋部を嵌める際、後述する案内突起が案内面に沿って周方向に回転するように移動するため、蓋部をノズル部との嵌合位置に確実に案内させるものとなる。更に、ノズル部は、フランジ部と案内部との間に、外周面から外径方向に環状に突出する嵌合部を設けることにより、後述する嵌合溝に嵌ることでノズル部と蓋部とをロックするものとなる。ノズル部は、蓋部の案内突起が案内面に沿って周方向に回転するように移動することにより、この移動力が加わりノズル部と蓋部とを容易に嵌合させるものとなる。
【００３２】
（１３）上記（１）乃至（１２）のいずれか１項において、前記蓋部は、前記ノズル部を挿入する開口を設け、
更に、前記蓋部の内周面には、底部側から前記開口側に延び、前記ノズル部の案内部に当接する案内突起と、
前記底部側から前記開口側に延び、前記ノズルの吐出部を案内する複数の位置決めリブと、
前記案内突起の下方近傍に設けられ、前記ノズル部の嵌合部と嵌合する嵌合溝と、を備える外用剤用外装容器（請求項１３）。
【００３３】
本項に係る外用剤用外装容器は、蓋部の内周面に、底部側から開口側に延びる案内突起を設けることにより、ノズル部を蓋部との嵌合位置に確実に案内させるものとなる。更に、蓋部は、内周面に位置決めリブを設けることにより、ノズル部を適切な位置に配置するものとなる。また、案内突起の下方近傍に嵌合溝を設けることにより、ノズル部の嵌合部と嵌り、ノズル部と蓋部とをロックするものとなる。
【００３４】
（１４）上記（１）乃至（１３）のいずれか１項において、前記チューブ容器の外用剤は、揮発性成分を５０〜９５質量％と、サリチル酸又はサリチル酸誘導体５質量％〜５０質量％とを含む外用剤用外装容器（請求項１４）。
【００３５】
本項に係る外用剤は、揮発性成分を５０〜９５質量％を含むことで、速乾性を高くするものとなる。
【００３６】
（１５）上記（１）乃至（１４）のいずれか１項において、前記チューブ容器の外用剤は、サリチル酸又はサリチル酸誘導体５質量％〜５０質量％を含む外用剤用外装容器（請求項１５）。
【００３７】
本項に係る外用剤は、サリチル酸又はサリチル酸誘導体５質量％〜５０質量％を含むことで、サリチル酸又はサリチル酸誘導体の含有量が少ない場合に生じる、皮膚疾患に対する治療効果の不足を防ぎ、更に、サリチル酸の含有量が多すぎた場合に生じる、外用剤の塗布性の低下、皮膚疾患や疾患周囲の皮膚に刺激感、発赤を防ぐものとなる。
【発明の効果】
【００３８】
本発明は、以上のように構成したことにより、チューブ容器の内容物の塗付量を適切に調節でき、体温による影響を受けない外用剤用外装容器を提供することができる。
【図面の簡単な説明】
【００３９】
【図１】本発明の第１実施形態に係る外用剤用外装容器の平面図である。
【図２】チューブ容器を収納した外用剤用外装容器の断面図である。
【図３】図１に示す外用剤用外装容器の断面斜視図である。
【図４】図１に示す外用剤用外装容器の胴体部の断面図である。
【図５】図１に示す外用剤用外装容器のノズル部の平面図である。
【図６】図１に示す外用剤用外装容器のノズル部の斜視図である。
【図７】図１に示す外用剤用外装容器の蓋部の底面図である。
【図８】図１に示す外用剤用外装容器の蓋部の斜視図である。
【図９】本発明の第２実施形態に係る外用剤用外装容器の斜視図である。
【図１０】図９に示す外用剤用外装容器の平面図である。
【図１１】図１０に示すＡ−Ａ線に沿う断面図である。
【図１２】図１１に示す胴体部及びノズルの部分断面図（拡大図）である。
【図１３】図９に示す胴体部の部分斜視図（拡大図）である。
【図１４】図９に示す外用剤用外装容器のノズルを示す図であり、（ａ）は、平面図であり、（ｂ）は、側面図であり、（ｃ）は、斜視図である。
【図１５】図９に示す外用剤用外装容器の蓋部を示す図であり、（ａ）は、底面図であり、（ｂ）は、斜視図である。
【発明を実施するための形態】
【００４０】
以下、本発明の第１実施形態に係る外用剤用外装容器の構成を図１〜図８に基づいて詳細に説明する。
本発明の外用剤用外装容器１は、内容物（外用剤）を充填したチューブ容器６１を覆うものである。図１〜図３に示すように、外用剤用外装容器１は、チューブ容器６１を内装する胴体部３と、チューブ容器６１に取付けるノズル部５と、蓋部７とを備えている。
【００４１】
図４を参照して、外用剤用外装容器１の胴体部３は、一対の半割体９ａ，９ｂが組合わさるように構成されている。具体的には、一対の半割体９ａ，９ｂは、互いに接触する面１１ａ，１１ｂのそれぞれに、互いに係止するように係止部１３が設けられている（図２及び図３参照）。この係止部１３は、一方の面１１ａに設けられた複数の凸状の係止突起１５（図２参照）と、他方の面１１ｂに設けられた複数の凹状の係止溝１７（図３参照）とからなり、係止突起１５と係止溝１７とは、互いに対向する位置に設けられている。これにより、一対の半割体９ａ，９ｂの面１１ａ，１１ｂ同士を合わせたとき、係止突起１５と係止溝１７とが嵌合して、一対の半割体９ａ，９ｂが組合され、胴体部３を形成するようになっている。
【００４２】
また、胴体部３は、後述するチューブ容器６１の口部６３を挿通する開口部１９と、チューブ容器６１を支持する湾曲帯状の支持部２１と、後述するチューブ容器６１の胴部６７を押圧する押圧部２３と、底部２５とを備える。この胴体部３は、押圧部２３と底部２５との外面側が湾曲面状に連なり、押圧部２３と底部２５との内面側が平面状に連なって形成されている（図４参照）。開口部１９は、後述するチューブ容器６１の肩部６５と胴部６７との接続部に当接する段部２７が形成されている（図２参照）。この段部２７は、肩部６５の外形に沿った形状で形成されている。支持部２１は、チューブ容器６１を支持するものであり、開口部１９の下方近傍に、対向するように一対（２つ）設け（図４参照）、内周面から内径方向に突出している。押圧部２３は、胴体部３の中央に形成された開口２９の内側に設けられ（図１参照）、チューブ容器６１と対向する対向面（内面）が底部２５から開口部２９に向かって、チューブ容器６１の胴部６７に略倣うように形成されている。また、押圧部２３は、胴体部３の開口部１９側端より底部２５側端のほうが厚みを有するように形成されている（図４参照）。更に、押圧部２３の対向面は、格子状の突起３１が形成されている。
【００４３】
ノズル部５は、チューブ容器６１内の内容物を任意の場所へ導くものであり、一端側がチューブ容器６１の口部６３に着脱可能に取付けられている（図２参照）。また、ノズル部５の一端側の一部が胴体部３の開口部１９に挿通されている（図２参照）。図５及び図６に示すように、このノズル部５は、円錐筒状であり、フランジ部３３と、吐出部３５と、蓋部７を案内する案内部３７と、嵌合部３９とを備えている。また、ノズル部５の内周面には、チューブ容器６１の口部６３と螺着するねじ部４１を設けている（図３及び図６参照）。フランジ部３３は、ノズル部５の一端側に設けられ、長手方向一端側の外周面から外径方向に延び、胴体部３の開口部１９側の端面上に配置されている。このフランジ部３３は、チューブ容器６１の肩部６５と協働して、胴体部３の開口部１９の段部２７を挟持して、一対の半割体９ａ，９ｂを保持する（保持機構）。吐出部３５は、フランジ部３３の反対側（他端側）に設けられ、一端側から他端側に向けて縮径されている。案内部３７は、フランジ部３３と吐出部３５との間の外周面に設けれ、フランジ部３３から吐出部３５に向かって外周面に沿って周方向対称に傾斜する案内面４３を備え（図５参照）、全体として山形状に形成されている。嵌合部３９は、フランジ部３３と案内部３７との間に設けられ、外周面から外径方向に環状に突出している。この嵌合部３９は、後述する蓋部７の嵌合溝５３に嵌合することで、ノズル部５と蓋部７とをロックする。
【００４４】
蓋部７は、チューブ容器６１内の内容物が漏れないようにノズル部５の吐出部３５を塞ぐものである。この蓋部７は、有底円筒状ないし円錐筒状であり、吐出部３５を挿入するための開口４５と、吐出部３５を塞ぐ第１突起４６と、チューブ容器６１の口部６３に穴を開ける突起４７（図３参照）とを備える。また、蓋部７の内周面には、底部側から開口側に延びる案内突起４９及び複数の位置決めリブ５１と、ノズル部５の嵌合部３９と嵌合する嵌合溝５３とを備える。第１突起４６は、底部内面に設けられ、この内面から開口４５に向かって延びている。第２突起４７は、底部外面に設けられ、この外面からさらに外方に延びている。案内突起４９は、ノズル部５に装着されるとき、ノズル部５の案内部３７の案内面４３に当接し、この案内面４３に沿って周方向に回転するように移動する。複数の位置決めリブ５１は、周方向に所定の間隔を置いて設けられており、案内突起４９より短く延びている。また、位置決めリブ４３の１つは、案内突起４９上に設けられている。嵌合溝５３は、ノズル部５の嵌合部３９と嵌合することで、ノズル部５と蓋部７とをロックする。
【００４５】
次に、チューブ容器６１について図２に基づいて詳細に説明する。
図２に示すように、チューブ容器６１は、円筒状の口部６３と、この口部６３に連なる円錐状の肩部６５と、この肩部６５に連なる胴部６７とを備える。このチューブ容器６１は、胴部６７が肩部６５から遠ざかるに従い断面形状が円状から長円状に変化し、端部が平坦に閉じられる態様で形成される。チューブ容器６１の口部６３は、外周部に、ノズル部５と螺着するねじ部６９が形成される。また、口部６３は、胴体部３の開口部１９に挿通される。肩部６５は、胴体部３の開口部１９の段部２７に当接するように配置される。
【００４６】
次に、チューブ容器６１内の内容物（外用剤）について説明する。
本発明の外用剤は、サリチル酸又はサリチル酸誘導体５質量％〜５０質量％及び揮発性成分５０質量％〜９５質量％を含有した外用剤である。揮発性成分とは、ジエチルエーテル、メタノール、エタノール、プロパノールなどの有機溶媒が好ましく、ジエチルエーテル、メタノールが更に好ましい。具体的には、外用剤には、サリチル酸又はサリチル酸誘導体と、コロジオンと、エーテルと、エタノールとを含んでいる。
【００４７】
外用剤に含有されるサリチル酸又はサリチル酸誘導体は、微生物に対する抗菌性があり、また角質軟化作用を有することにより、魚の目、タコ、イボ等の皮膚疾患の部位を治療するために使用されるものである。外用剤中のサリチル酸又はサリチル酸誘導体の含有量は、外用剤の組成の合計を１００質量％として、５質量％〜５０質量％であり、１０質量％〜２０質量％が好ましい。
【００４８】
コロジオンは、セルロースのグルコース単位につき最大３か所に硝酸エステルを有するニトロセルロースであり、エーテルとエタノールとの混合溶媒に溶解してなる。このコロジオンは、有機溶媒の溶液の形態で皮膚上に塗布した後、溶剤を揮散させることにより、皮膚上に皮膜を形成する皮膜形成成分である。外用剤のコロジオンの含有量は、エーテルとエタノールとの混合溶媒に、３〜２０質量％含有することが好ましく、８．５質量％を含有していることが特に好ましい。
【００４９】
エーテルは、サリチル酸又はサリチル酸誘導体を溶解するコロジオンの有機溶媒溶液を形成するための有機溶媒である。エーテルとしては、通常コロジオンにおいて使用されるエーテルを使用することができ、ジエチルエーテル、メチルエチルエーテル等を使用することができるが、ジエチルエーテルが好ましく使用される。
【００５０】
エタノールは、サリチル酸又はサリチル酸誘導体を溶解するコロジオンの有機溶媒溶液を形成するための有機溶媒である。エタノールは、エーテルとともに使用する点、すなわち、エーテルとエタノールとの混合溶媒を使用する点に特徴を有する。エーテルとエタノールとの混合溶媒におけるエーテルとエタノールとの比（質量比）は、特に限定されないが、通常０．５：１〜５：１であり、好ましくは１：１〜４：１、より好ましくは１．２：１〜３．７：１、更に好ましくは１．５：１〜３．５：１の範囲である。
【００５１】
本発明の第１実施形態の外用剤用外装容器１によると、外用剤用外装容器１がチューブ容器６１を覆うことにより、チューブ容器６１が外部に露出されず、直接押圧する必要がないので、体温による空気の膨張が起きず、これによる内容物の不用意な吐出を防止することが可能となる。また、チューブ容器６１の変形を防ぐことが可能となる。
【００５２】
また、外用剤用外装容器１によると、胴体部は、一対の半割体９ａ，９ｂにすることにより、一方の半割体９ａ，９ｂにチューブ容器６１を容易に装着することが可能となり、一対の半割体９ａ，９ｂを合わせることにより容易に組立てられ、チューブ容器６１を内装することが可能となる。一対の半割体９ａ，９ｂは、チューブ容器６１の肩部６５に当接する段部２７を形成することにより、チューブ容器６１の位置を合わせやすく、適切な位置にチューブ容器６１が嵌ることが可能となる。また、胴体部３は、チューブ容器６１の胴部６７を押圧する押圧部２３を備えることにより、内容物を適切に絞り出し、塗布量を任意に調整することが可能となる。
【００５３】
更に、外用剤用外装容器１によると、長手方向一端側の外周面から外径方向に延びるフランジ部３３を設けることにより、フランジ部３３が胴体部３の上端に接触し、ノズル部５が胴体部３の開口部１９から底部に向かって落下するのを防ぐことが可能となる。通常、チューブ容器６１は、チューブ容器６１の下部を折り曲げて成型するため、製造上の折り曲げ精度により０．１〜２ｍｍ程度、長さが異なる。そのため、チューブ容器６１の下部で固定した場合には、ねじ部６９がノズル部５のねじ部４１に螺合しなくなる問題が生じるので、フランジ部３３側でチューブ容器６１を固定することで、チューブ容器６１の長さが異なる場合にも、保持することが可能となる。また、フランジ部３３は、チューブ容器６１の肩部６５と協働して、胴体部３の開口部１９の段部２７を挟持して、胴体部３（一対の半割体９ａ，９ｂ）を保持することが可能となる。また、組合わさった一対の半割体９ａ，９ｂの分解を防ぐことが可能となる。
【００５４】
また、外用剤用外装容器１によると、胴体部３の開口部１９側に、内周面から内径方向に延びる複数の湾曲帯状の支持部２１を設けることにより、チューブ容器６１の肩部６５近傍の部位に当接し、チューブ容器６１を適切に支持することが可能となる。
【００５５】
また、外用剤用外装容器１によると、チューブ容器６１の胴部６７と対向する押圧部２３の対向面（内面）が胴体部３の底部２５から開口部１９に向かって胴部６７の外形に略倣って傾斜するように形成されることにより、チューブ容器６１の胴部６７の表面に適切に接触することが可能となる。また、押圧部２３は、開口部１９側端よりも底部２５側端のほうが厚みを有するように形成することにより、押圧部２３がチューブ容器６１の端部から順に肩部６５へ向けて接触するため、チューブ容器６１の端部から内容物を絞り出し、内容物の残留を防ぐことが可能となる。
【００５６】
また、外用剤用外装容器１によると、押圧部２３と底部２５との外面側が湾曲面状に連なり、押圧部２３と底部２５との内面側がチューブ容器６１と隙間を空けて平面状に連なっていることにより、押圧部２３が押圧されていない状態では、チューブ容器６１の端部が押圧部２３に固定されず、種々のチューブ容器６１の大きさに対応することが可能となる。
【００５７】
また、外用剤用外装容器１によると、押圧部２３の内面が格子状の突起３１を形成することにより、外用剤用外装容器１が射出成形品である場合の成形条件を整え、かつ、格子状の突起３１によって、チューブ容器６１の胴体部３を押圧し、内容物を絞り出せることが可能となる。
【００５８】
また、外用剤用外装容器１によると、ノズル部５のフランジ部３３の反対側の他端に、チューブ容器６１内の内容物を吐出する吐出部３５を設けることにより、内容物を適切な場所に容易に塗布することが可能となる。また、ノズル部５は、フランジ部３３と吐出部３５との間に、フランジ部３３から吐出部３５に向かって外周面に沿って周方向対称に傾斜する案内面４３を有する山形状の案内部３７を設けることにより、蓋部７を嵌める際、蓋部７の案内突起４９が案内面４３に沿って周方向に回転するように移動するため、蓋部７をノズル部５との嵌合位置に確実に案内させることが可能となる。更に、ノズル部５は、フランジ部３３と案内部３７との間に、外周面から外径方向に環状に突出する嵌合部３９を設けることにより、蓋部７の嵌合溝５３に嵌ることでノズル部５と蓋部７とをロックすることが可能となる。ノズル部５は、蓋部７の案内突起４９が案内面４３に沿って周方向に回転するように移動することにより、この移動力が加わりノズル部５と蓋部７とを容易に嵌合させることが可能となる。
【００５９】
また、外用剤用外装容器１によると、蓋部７の内周面に、底部側から開口４５側に延びる案内突起４９を設けることにより、ノズル部５との嵌合位置に確実に案内させることが可能となる。更に、蓋部７は、内周面に位置決めリブ５１を設けることにより、ノズル部５を適切な位置に配置することが可能となる。また、案内突起４９の下方近傍に嵌合溝５３を設けることにより、ノズル部５の嵌合部３９と嵌り、ノズル部５と蓋部７とをロックすることが可能となる。
【００６０】
本発明の第１実施形態の外用剤用外装容器１に用いられるチューブ容器６１の内容物（外用剤）によると、揮発性成分を５０〜９５質量％を含むことで、速乾性を高くすることが可能となる。更に、サリチル酸又はサリチル酸誘導体５質量％〜５０質量％含むことで、サリチル酸又はサリチル酸誘導体の含有量が少ない場合に生じる、皮膚疾患に対する治療効果の不足を防ぎ、更に、サリチル酸の含有量が多すぎた場合に生じる、外用剤の塗布性の低下、皮膚疾患や疾患周囲の皮膚に刺激感、発赤を防ぐことが可能となる。
【００６１】
次に、本考案の第２実施形態について、図９〜図１５を参照して説明する。なお、以下の説明において、上記第１実施形態に対して、同様の部分には同じ参照符号を用いて、異なる部分についてのみ詳細に説明する。
【００６２】
図９〜図１１を参照して、外用剤用外装容器１０１の胴体部１０３は、開口部１９の段部２７の反対側の縁に沿って、底部２５とは反対側へと突出するリブ１２０を形成している。このリブ１２０は、胴体部１０３（組合わさった一対の半割体９ａ，９ｂ）に分解されるような力が加わるとき、胴体部１０３の分解を防ぐストッパーとして機能するものである。リブ１２０は、ノズル部１０５がチューブ容器６１の口部６３に螺結されたとき、ノズル部１０５と空間をあける態様で、ノズル部１０５に外周側から覆われる態様で設けられている（図１１及び図１２参照）。よって、リブ１２０は、ノズル部１０５と嵌合することはない。具体的には、リブ１２０の外周面とノズル部１０５の内周面（後述するフランジ部１３３の環状壁部１３４の内周面）との間には、少なくとも０．１６ｍｍの隙間Ｃ１が形成されている（図１２参照）。更に、リブ１２０は、先端部がノズル部１３３（後述する接続片１４４）に当接しないように、所定の高さで形成され、リブ１２０とノズル部１３３との間には、隙間Ｃ２が形成されている（図１２参照）。
【００６３】
また、胴体部１０３は、押圧部２３の外面側の底部側端部、すなわち、押圧部２３と底部２５とが連なる位置に形成された、胴体部１０３の幅方向に延びる溝部１３６を備えている。胴体部１０３の底部２５には、チューブ容器６１の交換時、胴体部１０３（組合わされた一対の半割体９ａ，９ｂ）の分割を手助けする凹部１３８が形成されている（図１１参照）。更に、胴体部１０３は、押圧部２３と底部２５とが連なる内面、具体的には、溝部１３６の底面の反対側の面に、チューブ容器６１の平坦に閉じられた端部を支持するための、対向するように内側に突出する支持部１２１が設けられている（図１３参照）。この支持部１２１は、溝部１３６の幅と同等又は短い幅で形成されている。
【００６４】
図１４を参照して、ノズル部１０５は、フランジ部１３３と、吐出部３５と、第１ねじ部１３９と、複数の突起部１４０と、チューブ容器６１の口部６３と螺着する第２ねじ部１４１と、を備えている。フランジ部１３３は、環状壁部１３４と、環状壁部１３４の内周面と第２ねじ部１４１の外周面とを接続する複数の接続片１４４と、から構成されている。環状壁部１３４と第２ねじ部１４１との間には、空間１４２が形成され、この空間１４２は、複数の接続片１４４によって区画され、本実施形態では、４箇所形成されている（図１４（ｃ）参照）。接続片１４４は、環状壁部１３４の強度を維持し、また、第２ねじ部１４１を保持するものであり、周方向に９０度間隔で４箇所形成されている。第１ねじ部１３９は、フランジ部１３３と吐出部３５と間に設けられ（図１４（ｂ）及び（ｃ）参照）、後述する蓋部１０７のねじ部１５３と螺合する（図１１参照）。複数の突起部１４０は、フランジ部１３３の上面から隆起し、かつ、第１ねじ部１３９の外周面から外径方向に所定の長さで延び、周方向に９０度間隔で４箇所設けられている（図１４（ａ）参照）。
【００６５】
図１５を参照して、蓋部１０７は、内周面にノズル部１０５の第１ねじ部１３９と螺合するねじ部１５３を備え、このねじ部１５３は、複数の位置決めリブ５１の下方に設けられている。
【００６６】
本発明の第２実施形態の外用剤用外装容器１０１によると、上記第１実施形態と同様の作用効果に加え、チューブ容器６１の胴部６７の、平坦に閉じられた端部に当接するように、胴体部１０３（一対の半割体９ａ，９ｂ）の内面から突出する支持部１２１を設けることにより、チューブ容器６１を適切に支持することが可能となる。
【００６７】
また、第２実施形態によると、胴体部１０３の、開口部１９の段部２７とは反対側の縁に沿って、底部２５とは反対側へと突出するリブ１２０を形成することにより、落下による衝撃又は振動等の外的要因によって、胴体部１０３（一対の半割体９ａ，９ｂ）に分解されるような力が加わるときでも、リブ１２０がノズル部１０５の内面に当接し、胴体部１０３の分解を防ぐことが可能となる。
【００６８】
更に、第２実施形態によると、押圧部２３は、この外面側の底部側端部に、胴体部１０３の幅方向に延びる溝部１３６を備えることで、押圧部２３の基端側の近傍の外面、すなわち、押圧部２３と底部とが連なる側の近傍の剛性を意図的に低下させ、そして、溝部１３６において、弾性変形を促すことで、押圧部２３の外面を軽く押圧しても、押圧部２３を確実に撓ませるものとなり、外用剤を適切に絞り出すことが可能となる。
【００６９】
また、第２実施形態によると、フランジ部１３３の上面に複数の突起部１４０を設けることで、ノズル部１０５の第１ねじ部１３９と蓋部１０７のねじ部１５３との螺合時、蓋部１０７が複数の突起部１４０に当接することにより、蓋部１０７の回転が止まり、蓋部１０７の閉め過ぎを防ぐことが可能となる。これにより、蓋部１０７を開ける際には、ノズル部１０５（第２ねじ部１４１）が蓋部１０７と共に回転して、チューブ容器６１の口部６３（ねじ部６９）から取外されるのを防ぐことが可能となる。
【００７０】
なお、第１及び第２実施形態の外用剤用外装容器１，１０１では、一方の半割体９ａの面１１ａに係止突起１５を設け、他方の半割体９ｂの面１１ｂに係止溝１７を設けているが、係止突起１５及び係止溝１７が面１１ａ，１１ｂのそれぞれに混合するように設けてもよい。また、図２の平面視で、左右の一方側に係止突起１５を、他方側に係止溝１７を設けるようにしてもよい。
【００７１】
また、第１実施形態の外用剤用外装容器１では、ノズル部５は、蓋部７を案内するために、外周面に沿って周方向対称に傾斜する案内面４３を有する山形状の案内部３７を設けているが、周方向に所定の間隔を置いて、２つ以上の山形状の案内部３７を設けてもよい。
【００７２】
更に、第１及び第２実施形態の外用剤用外装容器１，１０１では、押圧部２３の内面が格子状の突起３１を形成しているが、平面状にしてもよい。
【００７３】
また、第１実施形態の外用剤用外装容器１では、チューブ容器６１を支持する支持部２１を対向するように２つ設けているが、周方向に間隔を置いて複数の支持部２１を設けてもよい。更に、第１実施形態の外用剤用外装容器１では、開口部１９の下方近傍に、対向するように２つ設け、第２実施形態の外用剤用外装容器１では、押圧部２３と底部２５とのが連なる内面に、対向するように２つ設けているが、開口部１９の下方近傍及び押圧部２３と底部２５とが連なる内面の、両方に設けるようにしてもよい。
【００７４】
また、第２実施形態の外用剤用外装容器１０１では、複数の突起部１４０は、フランジ部１３３の上面に周方向に９０度間隔で４箇所設けられているが、適宜間隔を変更し、設置数を変更してもよい。
【００７５】
また、第１及び第２実施形態の外用剤は、サリチル酸又はサリチル酸誘導体と、コロジオンと、エーテルと、エタノールとを含有するものであるが、所望により、その他の成分を含有することができる。例えば、本発明において使用されるサリチル酸含有外用剤は、その他の成分としては、アセトン、メタノール、イソプロパノール、メチルエチルケトン等の他の有機溶媒や、増粘剤、ゲル化剤、充填剤、安定剤、酸化防止剤、防腐剤、顔料、着色剤、香料等、更に他の皮膚に適用する薬剤などの、他の添加剤を含有してもよい。これら他の有機溶媒や他の添加剤の含有量は、外用剤の製剤の速乾性、塗布性及び保存性を損なうことがない範囲（通常１０質量％以内である。）で、適宜定めることができる。速乾性を考慮すると、増粘剤、ゲル化剤または充填剤のいずれも含有しないことが好ましい。
【符号の説明】
【００７６】
１，１０１…外用剤用外装容器、３，１０３…胴体部、５，１０５…ノズル部、７，１０７…蓋部、１９…開口部、２３…押圧部、２５…底部、２７…段部、６１…チューブ容器、６３…口部、６５…肩部、６７…胴部
【図１】
2017149428.tif 000003
【図２】
2017149428.tif 000004
【図３】
2017149428.tif 000005
【図４】
2017149428.tif 000006
【図５】
2017149428.tif 000007
【図６】
2017149428.tif 000008
【図７】
2017149428.tif 000009
【図８】
2017149428.tif 000010
【図９】
2017149428.tif 000011
【図１０】
2017149428.tif 000012
【図１１】
2017149428.tif 000013
【図１２】
2017149428.tif 000014
【図１３】
2017149428.tif 000015
【図１４】
2017149428.tif 000016
【図１５】
2017149428.tif 000017